(57)【要約】【課題】バックルにおけるストラップに対する留め付け位置の調整を片手で容易に行えるようにする。【解決手段】枠状をなす第一部材１の上側構成部分１０との間にストラップＳの第一通し部Ｂｃを形成し、かつ、下側構成部分１１との間にストラップＳの第二通し部Ｂｄを形成するようにこの第一部材１内に収められるストラップＳのかけ回し部２０を有し、このかけ回し部２０において第一部材１に回動可能に組み合わされた第二部材２を有する。第二部材２におけるかけ回し部２０よりも下方に位置される箇所に、第一通し部Ｂｃを通じて第一部材１内に引き込まれ且つこのかけ回し部２０にかけ回されて第二通し部Ｂｄから下方に引き出されると共に吊り下げ対象物Ｍに形成されたストラップＳの通過部Ｍａに通されて再び上方に引き出されたストラップＳの端末Ｓａ側の取り付け部２１ａが備えられている。【選択図】図３
2013215285.tif 000002
【特許請求の範囲】
【請求項１】
枠状をなす第一部材と、
この第一部材の構成部分のうち上側に位置される上側構成部分との間にストラップの第一通し部を形成し、かつ、この上側構成部分に対向する下側構成部分との間にストラップの第二通し部を形成するようにこの第一部材内に収められるストラップのかけ回し部を有し、このかけ回し部においてこの第一部材に回動可能に組み合わされた第二部材とを有すると共に、
この第二部材における前記かけ回し部よりも下方に位置される箇所に、前記第一通し部を通じて前記第一部材内に引き込まれ且つこのかけ回し部にかけ回されて前記第二通し部から下方に引き出されると共に吊り下げ対象物に形成されたストラップの通過部に通されて再び上方に引き出されたストラップの端末側の取り付け部が備えられていることを特徴とするストラップ用バックル。
【請求項２】
第二部材の回動前位置において、第一部材の下側構成部分の上部と第二部材のかけ回し部の下部とにより形成される第二通し部の最狭部の寸法が、これを通過するストラップの厚さよりも小さくなるようにしてあると共に、
この最狭部の寸法が前記回動前位置からの前記第二部材の回動又は相対的な回動により拡大されるようになっていることを特徴とする請求項１に記載のストラップ用バックル。
【請求項３】
第二部材のかけ回し部は、その回動中心の下方に、この第二部材の回動前位置において第一部材の下側構成部分に向き合ってストラップを挟みつける挟持部を有すると共に、
前記回動前位置からの前記第二部材の回動又は相対的な回動によりこの挟持部が前記下側構成部分に向き合わない位置に移動されるようになっていることを特徴とする請求項１に記載のストラップ用バックル。
【請求項４】
第一部材の下側構成部分の下部に操作片が備えられていることを特徴とする請求項１〜請求項３のいずれか１項に記載のストラップ用バックル。
【請求項５】
第二部材はかけ回し部より下方に突き出す操作片を備えており、この操作片にストラップの端末側の取り付け部が形成されていることを特徴とする請求項１〜請求項４のいずれか１項に記載のストラップ用バックル。
【発明の詳細な説明】
【技術分野】
【０００１】
この発明は、ストラップに備えられて、このストラップの長さ調整を可能とするバックルに関する。
【背景技術】
【０００２】
枠状体の対向辺部間にクロスバーを架設してなる、一般にトライグライドと称されるバックルがある。このバックルでは、クロスバーにより仕切られた一方の通し部からバックル内に引き込まれてクロスバーに掛け回されて他方の通し部から引き出されると共に、吊り下げ対象物に設けた吊り環などに通されて上方に引き出されたストラップの端末を前記クロスバーに巻回固定させるようにすることで、かかるストラップの所望の位置にバックルを留めつけるようにしている。しかるに、このタイプのバックルはストラップに対するバックルの留め付け位置を調整するには、一方の手でバックルを把持し、かつ、他方の手でストラップを把持して、バックルをストラップの長さ方向に移動させるようにする他なかった。
【発明の概要】
【発明が解決しようとする課題】
【０００３】
この発明が解決しようとする主たる問題点は、この種のバックルにおけるストラップに対する留め付け位置の調整を片手で容易に行えるようにする点にある。
【課題を解決するための手段】
【０００４】
前記課題を達成するために、この発明にあっては、ストラップ用バックルを、枠状をなす第一部材と、この第一部材の構成部分のうち上側に位置される上側構成部分との間にストラップの第一通し部を形成し、かつ、この上側構成部分に対向する下側構成部分との間にストラップの第二通し部を形成するようにこの第一部材内に収められるストラップのかけ回し部を有し、このかけ回し部においてこの第一部材に回動可能に組み合わされた第二部材とを有すると共に、
この第二部材における前記かけ回し部よりも下方に位置される箇所に、前記第一通し部を通じて前記第一部材内に引き込まれ且つこのかけ回し部にかけ回されて前記第二通し部から下方に引き出されると共に吊り下げ対象物に形成されたストラップの通過部に通されて再び上方に引き出されたストラップの端末側の取り付け部が備えられているものとした。
【０００５】
吊り下げ対象物の荷重によりストラップには張力が作用されることから、第二部材には、その取り付け部を第二通し部から下方に引き出されているストラップに近接させる向きのトルクが作用される。これにより、第一通し部を通じて前記第一部材内に引き込まれ且つ前記かけ回し部にかけ回されて前記第二通し部から下方に引き出されているストラップを、バックル内においてかけ回し部と下側構成部分との間で挟みつけて、ストラップに対するバックルの留めつけ状態を維持させることができる。かかる留めつけ状態は、前記トルクの作用される向きと反対の向きに第二部材を回動操作するか、第一部材の操作により前記トルクの作用される向きと反対の向きに第二部材を相対的に回動させることにより解除することができる。これによりストラップの長さ方向にバックルを所望の位置まで移動させる操作が許容されると共に、所望の位置でかかる操作を止めるとストラップに作用される張力によって第二部材は前記回動又は相対的な回動の回動前位置に強制的に復帰されこの位置で再びバックルをストラップに留めつけることができる。
【０００６】
前記第二部材の回動前位置において、第一部材の下側構成部分の上部と第二部材のかけ回し部の下部とにより形成される第二通し部の最狭部の寸法が、これを通過するストラップの厚さよりも小さくなるようにしてあると共に、この最狭部の寸法が前記回動前位置からの前記第二部材の回動又は相対的な回動により拡大されるようにしておくことが、この発明の好ましい態様の一つとされる。また、前記第二部材のかけ回し部は、その回動中心の下方に、この第二部材の回動前位置において第一部材の下側構成部分に向き合ってストラップを挟みつける挟持部を有すると共に、前記回動前位置からの前記第二部材の回動又は相対的な回動によりこの挟持部が前記下側構成部分に向き合わない位置に移動されるようにしておくことが、この発明の好ましい態様の一つとされる。このようにしておけば、第二部材の回動前位置においてはバックルをストラップに強固に留めつけ、この回動前位置からの第二部材の回動操作によりかかる留めつけ状態をスムースに解除することができる。
【０００７】
また、前記第一部材にあっては、その下側構成部分の下部に操作片を備えさせておくことが、この発明の好ましい態様の一つとされる。また、前記第二部材にあっては、そのかけ回し部より下方に突き出す操作片を備えさせ、この操作片にストラップの端末側の取り付け部を形成させておくことが、この発明の好ましい態様の一つとされる。
【発明の効果】
【０００８】
この発明によれば、バックルにおけるストラップに対する留め付け位置の調整を片手で容易に行なうことができる。
【図面の簡単な説明】
【０００９】
【図１】図１はこの発明の一実施の形態にかかるバックルの利用状態を示した断面構成図である。
【図２】図２は前記バックルの利用状態を示した要部破断斜視図である。
【図３】図３は前記バックルの利用状態を示した断面図である。
【図４】図４は前記バックルの利用状態を示した断面図であり、図３の状態から第二部材が相対的に回動されるように第一部材を回動させた状態を示している。
【図５】図５は前記バックルの斜視図である。
【図６】図６は前記バックルの斜視図であり、第二部材を回動させた状態を示している。
【図７】図７は前記バックルの平面図である。
【図８】図８は前記バックルの底面図である。
【図９】図９は前記バックルの左側面図である。
【図１０】図１０は前記バックルの右側面図である。
【図１１】図１１は前記バックルの正面図である。
【図１２】図１２は図７におけるＡ−Ａ線断面図である。
【図１３】図１３は前記バックルの断面図であり、第二部材を回動させた状態を示している。
【発明を実施するための形態】
【００１０】
以下、図１〜図１３に基づいて、この発明の典型的な実施の形態について、説明する。この実施の形態にかかるバックルＢは、ストラップＳに備えられて、このストラップＳの長さ調整を可能とするものである。典型的には、かかるバックルＢは、両端末Ｓａ側をそれぞれ吊り下げ対象物Ｍに形成されたストラップＳの通過部Ｍａに通すようにしてこの吊り下げ対象物Ｍに備えられたストラップＳにおける、二カ所の通過部Ｍａ、Ｍａ間に亘る長さを調整可能とするものである。
【００１１】
図示の例では、吊り下げ対象物Ｍの上部の左右にそれぞれ形成された環状をなす通過部Ｍａを利用してこの吊り下げ対象物ＭにストラップＳを備えさせている。吊り下げ対象物Ｍの右側では、ストラップＳは右側に設けられた通過部Ｍａに通されて上方に引き出されると共に、引き出し端に位置される右側の端末ＳａをストラップＳの中間部に縫着などして固着させることで、吊り下げ対象物Ｍに取り付けられている。一方、吊り下げ対象物Ｍの左側では、ストラップＳは左側に設けられた通過部Ｍａに通されて上方に引き出されると共に、引き出し端に位置される左側の端末ＳａをストラップＳの中間部に備えられたバックルＢを構成する後述の第二部材２の取り付け部２１ａに取り付けることで、吊り下げ対象物Ｍに取り付けられている。（図１）図示の例では、このように吊り下げ対象物Ｍに取り付けられるストラップＳを首や肩などに掛けた状態から、バックルＢを構成する後述の第二部材２が回動又は相対的に回動されるように片手でかかるバックルＢを構成する第一部材１又は第二部材２を操作すると、バックルＢによるストラップＳの留めつけ状態が解除されてストラップＳの長さ方向にバックルＢを所望の位置まで移動させる片手での操作が許容されると共に、所望の位置でバックルＢから手を離してかかる操作を止めるとストラップＳに作用される張力によって第二部材２は前記回動又は相対的な回動の回動前位置に強制的に復帰されこの位置で再びバックルＢをストラップＳに留めつけ可能となっている。これによって、このように吊り下げ対象物Ｍに備えられるストラップＳの長さを、ストラップＳを介して吊り下げ対象物Ｍを吊り下げた状態において、容易に変更調整できるようになっている。
【００１２】
かかるバックルＢは、二つの部材、すなわち、第一部材１と第二部材２とを組み合わせて構成されている。
【００１３】
第一部材１は枠状をなしている。すなわち、かかる第一部材１は、バックルＢをストラップＳに備えさせた状態（図１〜図４の状態）において上側に位置される上側構成部分１０と、この上側構成部分１０に対向する下側構成部分１１と、この上側及び下側構成部分１０、１１間に亘る左右の側方構成部分１２、１２とを備えている。図示の例では、バックルＢの一面側においては、この一面側に向けられた縁部を、各構成部分１０、１１、１２は連続した一つの面上におおむね位置させているが、バックルＢの他面側においては、この他面側に向けられた縁部を上側構成部分１０及び下側構成部分１１はバックルＢの内方に位置させており、各構成部分間１０、１１、１２には段差１３（図１２参照）が形成されている。（以下では、かかるバックルＢの一面側をバックルＢの表面側Ｂａと、かかるバックルＢの他面側をバックルＢの裏面側Ｂｂと称する。）
【００１４】
図示の例では、左右の側方構成部分１２、１２はそれぞれ、バックルＢの上下方向に長く、表裏方向において幅広で、左右方向において幅狭となっている。
【００１５】
また、図示の例では、上側構成部分１０は左右の側方構成部分１２、１２の上端１２ａ間に架設状に備えられている。一方、下側構成部分１１は、左右の側方構成部分１２、１２の上下方向略中程の位置において、この左右の側方構成部分１２、１２間に架設状に備えられている。かかる下側構成部分１１は、バックルＢの表裏方向中程の位置からバックルＢの表面側Ｂａに位置される側方構成部分１２の縁部に亘る幅を備えた板状を呈している。この下側構成部分１１の板面の一方は上側に向き、板面の他方は下側に向いていると共に、かかる下側構成部分１１はバックルＢの表面側Ｂａに向かうに連れて上側構成部分１０との間の距離を大きくするように傾斜している。図示の例では、この下側構成部分１１におけるバックルＢの表面側Ｂａにある縁部１１ａと、左右の側方構成部分１２、１２の下端１２ｂとの間は、上辺をこの下側構成部分１１の縁部１１ａに、左辺を左側構成部分におけるバックルＢの表面側Ｂａにある縁部、右辺を右側構成部分におけるバックルＢの表面側Ｂａにある縁部にそれぞれ一体化させてなる、板状をなす操作片１４によって塞がれている。図示の例では、かかる操作片１４によって下側構成部分１１の下方のバックルＢの裏面側Ｂｂに凹所１５が形成された様になっている。
【００１６】
一方、第二部材２は、前記第一部材１の上側構成部分１０との間にストラップＳの第一通し部Ｂｃを形成し、かつ、この上側構成部分１０に対向する前記下側構成部分１１との間にストラップＳの第二通し部Ｂｄを形成するようにこの第一部材１内に収められるストラップＳのかけ回し部２０を有し、このかけ回し部２０においてこの第一部材１に回動可能に組み合わされている。
【００１７】
図示の例では、かかる第二部材２は、第一部材１の左右の側方構成部分１２、１２間に亘る長さを持った軸状をなす前記かけ回し部２０と、このかけ回し部２０に上辺２１ｃを一体に連接させて下方に突き出す操作片２１とを備えている。かかる操作片２１は、第一部材１の左右の側方構成部分１２、１２間に亘る幅を有している。
【００１８】
かかる第二部材２のかけ回し部２０は、その左右両端面にそれぞれ、この端面に直交する向きに突き出す軸突部２０ａを備えている。一方、第一部材１の左右の側方構成部分１２、１２にはそれぞれ、前記上側構成部分１０と下側構成部分１１の間において、かかる軸突部２０ａに対する軸穴１２ｃが形成されている。かかる軸穴１２ｃは側方構成部分１２を内外に貫通するように形成されている。図示の例では、第二部材２のかけ回し部２０の左右の軸突部２０ａの突き出し端間の距離は第一部材１の左右の側方構成部分１２、１２の距離よりもやや大きく、かけ回し部２０は第一部材１の弾性変形により前記上側構成部分１０及び下側構成部分１１にかけ回し部２０を平行とする向きでこの第一部分内に入れ込めるようになっていると共に、前記軸穴１２ｃに軸突部２０ａが入り込む入れ込み位置でのこの第一部材１の弾性復帰によりこの第一部材１に第二部分がかけ回し部２０において回動可能に組み合わされるようになっている。
【００１９】
第二部材２の操作片２１には、この第二部材２における前記かけ回し部２０よりも下方に位置される箇所に、前記第一通し部Ｂｃを通じてバックルＢの裏面側Ｂｂから前記第一部材１内に引き込まれ且つこのかけ回し部２０にかけ回されて前記第二通し部Ｂｄを通じて再びバックルＢの裏面側Ｂｂから下方に引き出されると共に吊り下げ対象物Ｍに形成されたストラップＳの通過部Ｍａに通されて再び上方に引き出されたストラップＳの端末Ｓａ側の取り付け部２１ａが備えられている。図示の例では、かかる取り付け部２１ａは、この操作片２１に形成された、帯状をなすストラップＳの通される、このストラップＳの幅と略等しいかこれより大きい長さを持った左右方向に長いスリット２１ｂとして構成されている。図示の例では、ストラップＳはかかるスリット２１ｂに下方から通された後折り返されて下方に引き出されたストラップＳの端末ＳａをこのストラップＳの中間部に縫着などして固着させることで第二部材２に取り付けられている。
【００２０】
図示の例では、第二部材２のかけ回し部２０は、前記ストラップＳに作用される張力によりこの張力の作用方向ｘに前記操作片２１の板面を沿わせるこの第二部材２の回動前位置（図１〜３）において、上側構成部分１０のバックルＢの裏面側Ｂｂの縁部１１ａと下側構成部分１１のバックルＢの裏面側Ｂｂの縁部１１ｂとを結ぶ仮想の線分ｙ（図１２参照）よりもバックルＢの表面側Ｂａに位置される前部２０ｂと、下側構成部分１１の上部１１ｃに向き合う下部２０ｃとを有している。かけ回し部２０の前部２０ｂと下部２０ｃとの間には、バックルＢの表面側Ｂａにおいて前隅部２０ｄが形成されている。操作片２１の上辺２１ｃは、第二部材２の回動前位置において、下側構成部分１１のバックルＢの裏面側Ｂｂにある縁部１１ｂよりも後方に位置される前記かけ回し部２０の後部２０ｅと下部２０ｃとの間の後隅部２０ｆに一体に接合されている。
【００２１】
吊り下げ対象物Ｍの荷重によりストラップＳには張力が作用されることから、第二部材２には、その取り付け部２１ａを第二通し部Ｂｄから下方に引き出されているストラップＳに近接させる向きのトルクＦ（図３参照）が作用される。これにより、第一通し部Ｂｃを通じて前記第一部材１内に引き込まれ且つ前記かけ回し部２０にかけ回されて前記第二通し部Ｂｄから下方に引き出されているストラップＳを、バックルＢ内においてかけ回し部２０と下側構成部分１１との間で挟みつけて、ストラップＳに対するバックルＢの留めつけ状態を維持させることができる。（図２、図３）かかる留めつけ状態は、前記トルクの作用される向きと反対の向きに第二部材２を回動操作するか、第一部材１の操作により前記トルクの作用される向きと反対の向きに第二部材２を相対的に回動させることにより解除することができる。（図４）かかる操作は、第一部材１の下側構成部分１１の下部に形成された操作片１４、または、第二部材２におけるかけ回し部２０より下方に突き出す操作片２１を利用してなすことができる。これによりストラップＳの長さ方向にバックルＢを所望の位置まで移動させる操作が許容されると共に、所望の位置でかかる操作を止めるとストラップＳに作用される張力によって第二部材２は前記回動又は相対的な回動の回動前位置に強制的に復帰されこの位置で再びバックルＢをストラップＳに留めつけることができる。
【００２２】
この実施の形態にあっては、第二部材２の回動前位置において、第一部材１の下側構成部分１１の上部１１ｃと第二部材２のかけ回し部２０の下部２０ｃとにより形成される第二通し部Ｂｄの最狭部Ｂｄ’の寸法が、これを通過するストラップＳの厚さよりも小さくなるようにしてあると共に、この最狭部Ｂｄ’の寸法が前記回動前位置からの前記第二部材２の回動又は相対的な回動により拡大されるようになっている。（図３から図４）この実施の形態にあっては、第二部材２のかけ回し部２０は、その回動中心の下方に、この第二部材２の回動前位置において第一部材１の下側構成部分１１に向き合ってストラップＳを挟みつける挟持部２０ｇを有すると共に、前記回動前位置からの前記第二部材２の回動又は相対的な回動によりこの挟持部２０ｇが前記下側構成部分１１に向き合わない位置に移動されるようになっている。図示の例では、かけ回し部２０の下部２０ｃの前隅部２０ｄ側がかかる挟持部２０ｇとして機能するようになっている。前記回動前位置から前記トルクの作用される向きと反対の向きに第二部材２を回動操作すると、最終的にはかけ回し部２０の前隅部２０ｄが下側構成部分１１のバックルＢの裏面側Ｂｂの縁部１１ｂよりも後方に抜け出すようになっている。（図４）これにより、この実施の形態にあっては、第二部材２の回動前位置においてはバックルＢをストラップＳに強固に留めつけ、この回動前位置からの第二部材２の回動操作によりかかる留めつけ状態をスムースに解除できるようになっている。
【符号の説明】
【００２３】
Ｓ  ストラップ
Ｂｃ  第一通し部
Ｂｄ  第二通し部
Ｍ  吊り下げ対象物
Ｍａ  通過部
１  第一部材
１０  上側構成部分
１１  下側構成部分
２  第二部材
２０  かけ回し部
２１ａ  取り付け部
【図１】
2013215285.tif 000003
【図２】
2013215285.tif 000004
【図３】
2013215285.tif 000005
【図４】
2013215285.tif 000006
【図５】
2013215285.tif 000007
【図６】
2013215285.tif 000008
【図７】
2013215285.tif 000009
【図８】
2013215285.tif 000010
【図９】
2013215285.tif 000011
【図１０】
2013215285.tif 000012
【図１１】
2013215285.tif 000013
【図１２】
2013215285.tif 000014
【図１３】
2013215285.tif 000015